(57)【特許請求の範囲】
【請求項１】
ガラスや網の一方の表面に沿って移動するように操作される第一清掃部材と、上記のガラスや網を介して第一清掃部材と磁着すると共に第一清掃部材に追随して上記のガラスや網の他方の表面に沿って移動する第二清掃部材とで構成され、洗浄液を保水する保水機能とこの保水した洗浄液をガラスや網の表面に供給する給水機能を有する給水体を第一清掃部材と第二清掃部材にそれぞれ設け、第一清掃部材と第二清掃部材の移動によって洗浄液が供給されたガラスや網の表面で摺動して洗浄液を掻き集める集水機能を有するワイパーを第一清掃部材と第二清掃部材にそれぞれ設けた清掃装置において、給水体をフェルトで形成し、給水体の表面側におけるフェルトの繊維径を給水体の裏面側におけるフェルトの繊維径よりも小さく形成して成ることを特徴とする清掃装置。
【請求項２】
繊維径の異なる複数のフェルトで給水体を形成して成ることを特徴とする請求項１に記載の清掃装置。
【請求項３】
繊維径が徐々に変化するフェルトで給水体を形成して成ることを特徴とする請求項１又は２に記載の清掃装置。
【発明の詳細な説明】
【０００１】
【発明の属する技術分野】
本発明は、窓ガラスのガラスと網戸の網の両方を清掃するための清掃装置に関するものである。
【０００２】
【従来の技術】
従来より、図８に示すような清掃装置が提案されている。この清掃装置は窓ガラスのガラスの清掃と網戸の網の清掃に兼用されるものであって、第一清掃部材１と第二清掃部材２を一組として構成されている。第一清掃部材１はガラスや網の一方（屋内側）の表面に沿って移動するように操作されるものであって、ガラスや網と対向する正面には洗浄部（図示省略）が設けられていると共にガラスや網の反対側に向く背面には取手部４が形成されている。また、第二清掃部材２はガラスや網を介して（挟んで）第一清掃部材１と磁着され、移動する第一清掃部材１に追随してガラスや網の他方（屋外側）の表面に沿って移動するものであり、ガラスや網と対向する正面には第一清掃部材１と同様の洗浄部３が設けられている。また、第一清掃部材１の正面と第二清掃部材２の正面には、移動させやすいように、ガラスや網の表面で転動するローラー７が設けられている。
【０００３】
このような清掃装置でガラスや網を清掃するにあたっては、まず、ガラスや網を挟んで第一清掃部材１と第二清掃部材２を対向させて配置し、ガラスや網を介して第一清掃部材１と第二清掃部材２を磁着させる。この時、第一清掃部材１の洗浄部はガラスや網の一方の表面に当接し、第二清掃部材２の洗浄部３はガラスや網の他方の表面に当接する。次に、取手部４を握って第一清掃部材１をガラスや網の一方の表面に沿って略水平に移動させる。この時、第二清掃部材２は第一清掃部材１に追随してガラスや網の他方の表面に沿って移動する。そして、第一清掃部材１が移動することにより、第一清掃部材１の洗浄部がガラスや網の一方の表面で摺動し、この洗浄部の摺動によりガラスや網の一方の表面が清掃され、また、第二清掃部材２が移動することにより、第二清掃部材２の洗浄部３がガラスや網の他方の表面で摺動し、この洗浄部３の摺動によりガラスや網の他方の表面が清掃されるのである。
【０００４】
上記の洗浄部３は給水体２２とワイパー２１で構成されている。給水体２２はフェルト等で形成されるものであって、水あるいは洗剤を含む水などの洗浄液を保水する保水機能とこの保水した洗浄液をガラスや網の表面に供給する給水機能を有するものである。また、ワイパー２１はゴム等の弾性体で形成されるものであって、給水体２２から洗浄液が供給されたガラスや網の表面に先端が弾接して摺動することによって、洗浄液及びこれにより浮き上がった汚れを掻き取って集める集水機能を有するものである。そして、上記のように第一清掃部材１及び第二清掃部材２の移動により、給水体２２がガラスや網の表面で摺動して洗浄液が供給されると共に洗浄液が供給されたガラスや網の表面でワイパー２１が摺動することになり、給水体２２から供給された洗浄液により浮き上がった汚れがワイパー２１で掻き取られて集められて、ガラスや網の一方の表面が第一清掃部材１で、ガラスや網の他方の表面が第二清掃部材２でそれぞれ清掃されるのである。
【０００５】
【発明が解決しようとする課題】
しかし、従来の給水体２２は繊維径が一定の繊維で、あるいは繊維径の異なる複数種の繊維を混合して形成されているために、ガラスや網の表面に洗浄液が多量に供給されて液垂れが発生し、清掃が行いにくいという問題があった。
【０００６】
すなわち、給水体２２のフェルトが７Ｄ（Ｄはデニールを示す）レベルの太さの繊維で形成されていると、給水体２２内における繊維間の隙間が大きくなるので、給水体２２の保水性が小さくなって洗浄液の保水量は少なくなるが、給水体２２内で洗浄液が移動しやすくなり、このために、清掃時に給水体２２の裏面側から表面側へ洗浄液が移動してガラスや網の表面に多量の洗浄液が供給されることになって液垂れが発生するのである。
【０００７】
また、給水体２２のフェルトが３Ｄレベルの太さの繊維で形成されていると、給水体２２内における繊維間の隙間が小さくなるので、給水体２２の保水性が大きくなって洗浄液の保水量が多くなり、このために、給水体２２の表面側の部分に多量の洗浄液が保水されることになって、清掃時に多量の洗浄液がガラスや網の表面に供給されることになって液垂れが発生するのである。しかも、繊維間の隙間が小さいと給水体２２内で洗浄液が移動しにくいために、第一清掃部材１や第二清掃部材２を振るなどして液切り動作を行っても給水体２２に含浸した洗浄液を容易に除去することはできず、液切り性が低いものであった。
【０００８】
本発明は上記の点に鑑みてなされたものであり、液垂れが少なくて清掃の行いやすい清掃装置を提供することを目的とするものである。
【０００９】
【課題を解決するための手段】
本発明の請求項１に係る清掃装置は、ガラスや網の一方の表面に沿って移動するように操作される第一清掃部材１と、上記のガラスや網を介して第一清掃部材１と磁着すると共に第一清掃部材１に追随して上記のガラスや網の他方の表面に沿って移動する第二清掃部材２とで構成され、洗浄液を保水する保水機能とこの保水した洗浄液をガラスや網の表面に供給する給水機能を有する給水体２２を第一清掃部材１と第二清掃部材２にそれぞれ設け、第一清掃部材１と第二清掃部材２の移動によって洗浄液が供給されたガラスや網の表面で摺動して洗浄液を掻き集める集水機能を有するワイパー２１を第一清掃部材１と第二清掃部材２にそれぞれ設けた清掃装置において、給水体２２をフェルト８で形成し、給水体２２の表面側におけるフェルト８の繊維径を給水体２２の裏面側におけるフェルト８の繊維径よりも小さく形成して成ることを特徴とするものである。
【００１０】
また本発明の請求項２に係る清掃装置は、請求項１の構成に加えて、繊維径の異なる複数のフェルト８で給水体２２を形成して成ることを特徴とするものである。
【００１１】
また本発明の請求項３に係る清掃装置は、請求項１又は２の構成に加えて、繊維径が徐々に変化するフェルト８で給水体２２を形成して成ることを特徴とするものである。
【００１２】
【発明の実施の形態】
以下、本発明の実施の形態を説明する。
【００１３】
本発明の清掃装置は、第一清掃部材１と第二清掃部材２とで形成されている。
【００１４】
図４（ａ）（ｂ）（ｃ）及び図５（ａ）（ｂ）（ｃ）で示すように、第一清掃部材１は、正面側（ガラスや網と対向する側）が開口する略箱状の筺体部１０と、筺体部１０の正面の開口に装着される第一清掃プレート１１とで構成されている。筺体部１０は第一清掃プレート１１側の正面が開口する略箱状に形成された取手部４と、取手部４の左右の開口縁部及び上側の開口縁部に取手部４を囲うように延設される延設部１２と、延設部１２の上端に第一清掃プレート１１の方に向かって延設される上係止片１３と、取手部４の下側の開口縁部及び延設部１２の下端に第一清掃プレート１１の方に向かって延設される下係止片１４とを具備して形成されている。延設部１２の取手部４よりも上側の部分は背方に向かって凸曲する凸曲面６１として形成されている。また、取手部４の上面は取手を握った手の人差し指を折り曲げて当接させる指当接面５として形成されている。
【００１５】
延設部１２の左右の側部は上下方向に長いワイパー取付片１５として形成されており、ワイパー取付片１５の先端には第一清掃プレート１１の正面（外面）側に延設されるワイパー係止片１６が全長に亘って形成されている。また、取手部４の側面には上下方向に長い滑り止め突起１７が設けられている。さらに、筺体部１０の内部には棒状（筒状）のリブ１８ａ、１８ｂ、１８ｃが設けられている。最も上側のリブ１８ａは凸曲面６１の内側に、残りのリブ１８ｂ、１８ｃは取手部４の内側に設けられており、真ん中のリブ１８ｂの先端は係合部１９として形成されている。
【００１６】
第一清掃プレート１１は、第一プレート本体２０、洗浄部３を構成するワイパー２１と給水体２２、及びローラー７を具備して形成されている。第一プレート本体２０は筺体部１０側の背面が開口する略箱状に形成される磁着部２３と、磁着部２３の左右の開口縁部の全長に亘って延設される給水体取付片２４と、磁着部２３の上側の開口縁部及び給水体取付片２４の上端部に筺体部１０の方に向かって延設される上係止部３０と、磁着部２３の下側の開口縁部及び給水体取付片２４の下端部に筺体部１０の方に向かって延設される下係止部３５と、磁着部２３の略中央部に筺体部１０の方に向かって突設される係着部３１とを具備して形成されている。また、給水体取付片２４の側端にはワイパー係止片３４が突設されている。そして、磁着部２３の背面側（内面側）には磁石３２が係着部３１を挟んで上下に一つずつ設けられていると共に両方の磁石３２の背面に接触するようにして磁着部２３にヨーク３３が収納されている。この時、係着部３１はヨーク３３を貫通してヨーク３３の背面側に突出している。
【００１７】
また、第一プレート本体２０の磁着部２３には複数個のローラー収納凹部２５が凹設されており、各ローラー収納凹部２５にローラー７が収納されている。尚、図４（ｃ）に示すように、この実施の形態では左右一対のローラー７を一組とし、この組を上下に３個設けて形成されている。ローラー７は上下に長い略円棒状に形成されるものであって、その上下の略中央部には接触部２６がローラー７の外周の全長に亘って突設されている。また、ローラー７には上下に貫通する軸部２７が設けられており、軸部２７に対してローラー７が回転自在に取り付けられている。そして、軸部２７の上端と下端がローラー収納凹部２５内において磁着部２３に固定されることで、ローラー７が第一プレート本体２０に回転自在に取り付けられている。この時、ローラー７はローラー収納凹部２５にほぼ収納されているが、接触部２６はローラー収納凹部２５から正面側に突出している。このローラー７は第一清掃部材１が移動する際にガラスや網の表面で転動するものであって、このことで第一清掃部材１が移動しやすくなるのである。また、ローラー７は後述の第二清掃部材２にも設けられており、第二清掃部材２が移動する際にガラスや網の表面で転動するものであって、このことで第二清掃部材２が移動しやすくなるのである。
【００１８】
給水体２２はフェルト等で形成されるものであって、水あるいは洗剤を含む水などの洗浄液を保水する保水機能とこの保水した洗浄液をガラスや網の表面に供給する給水機能を有するものである。この給水体２２は上下に長い矩形状に形成されており、第一プレート本体２０の給水体取付片２４の正面側に全長に亘って取り付けられている。ワイパー２１はゴム等の弾性体で形成されるものであって、洗浄液が供給されたガラスや網の表面に先端が弾接して摺動することによって、洗浄液及びこれにより浮き上がった汚れを掻き取って集める集水機能を有するものである。
【００１９】
そして、第一清掃部材１は筺体部１０の正面の開口に第一清掃プレート１１を装着することによって形成される。この時、筺体部１０の上係止片１３と下係止片１４と係合部１９を、第一清掃プレート１１の上係止部３０と下係止部３５と係着部３１にそれぞれ係合させる。また、リブ１８ａ、１８ｃの先端をヨーク３３の背面側に当接させ、リブ１８ａ、１８ｃと第一プレート本体２０の間で磁石３２とヨーク３３を挟持して保持することによって、第一清掃部材１に磁石３２とヨーク３３を内蔵させる。さらに、ワイパー２１をワイパー取付片１４の正面側に配置し、ワイパー係止片１６、３４とワイパー取付片１４の間でワイパー２１の基部を挟持して保持することによって、第一清掃部材１にワイパー２１を取り付けるようにする。
【００２０】
図６（ａ）（ｂ）及び図７（ａ）（ｂ）（ｃ）で示すように、第二清掃部材２はカバー４０と、カバー４０の正面側に装着される第二清掃プレート４１とで構成されている。カバー４０は略平板状に形成されており、その上端には第二清掃プレート４１の正面側に延設される上係合片４２が形成されていると共にカバー４０の下端には第二清掃プレート４１の正面側に延設される下係合片４３が形成されている。また、カバー４０の側部はワイパー取付片５５として形成されており、ワイパー取付片５５の端部には第二清掃プレート４１の正面側に延設されるワイパー係止片４４が突設されている。さらに、カバー４０の略中央部には正面側に突出する結合部４５が形成されている。
【００２１】
第二清掃プレート４１は第一清掃プレート１１の厚みを薄く形成した点及びローラー７の個数が少ない点を除いては、第一清掃プレート１１とほぼ同等に形成されている。すなわち、第二清掃プレート４１は、第二プレート本体４６、洗浄部３を構成するワイパー２１と給水体２２、及びローラー７を具備して形成されている。第二プレート本体４６は背面が開口する略箱状に形成される磁着部４７と、磁着部４７の左右の開口縁部の全長に亘って延設される給水体取付片４８と、磁着部４７の上側の開口縁部及び給水体取付片４８の上端部にカバー４０の方に向かって延設される上係合部４９と、磁着部４７の下側の開口縁部及び給水体取付片４８の下端部にカバー４０の方に向かって延設される下係合部５０と、磁着部４７の略中央部にカバー４０の方に向かって突設される取着部５１とを具備して形成されている。また、給水体取付片４８の側部にはワイパー係止片５２が突設されている。そして、磁着部４７の背面側（内面側）には磁石３２が取着部５１を挟んで上下に一つずつ設けられていると共に両方の磁石３２の背面側に接触するようにして磁着部４７にヨーク３３が収納されている。この時、取着部５１はヨーク３３を貫通してヨーク３３の背面側に突出している。
【００２２】
また、第二プレート本体４６の磁着部４７には複数個のローラー収納凹部２５が凹設されており、各ローラー収納凹部２５にローラー７が収納されている。尚、図６（ａ）に示すように、この実施の形態では左右一対のローラー７を一組とし、この組を上下に２個設けて形成されている。ローラー７及びその取り付けは第一清掃プレート１１のものと同様である。また、給水体２２及びその取り付けは第一清掃プレート１１のものと同様である。さらに、ワイパー２１は第一清掃プレート１１のものと同様のものである。
【００２３】
そして、第二清掃部材２はカバー４０の正面に第二清掃プレート４１を装着することによって形成される。この時、カバー４０の上係合片４２と下係合片４３と結合部４５を、第二清掃プレート４６の上係合部４９と下係合部５０と取着部５１にそれぞれ係合させる。また、カバー４０の正面をヨーク３３の背面側に当接させ、カバー４０と第二プレート本体４６の間で磁石３２とヨーク３３を挟持して保持することによって、第二清掃部材２に磁石３２とヨーク３３を内蔵させる。さらに、ワイパー２１をワイパー取付片５５の正面側に配置し、ワイパー係止片４４、５２とワイパー取付片５５の間でワイパー２１の基部を挟持して保持することによって、第二清掃部材２にワイパー２１を取り付ける。
【００２４】
尚、第一清掃部材１と第二清掃部材２の両方に磁石を設ける必要はなく、第一清掃部材１と第二清掃部材２の一方に磁石を設けると共に第一清掃部材１と第二清掃部材２の他方に磁性体を設けるようにしてもよい。
【００２５】
上記のように形成される清掃装置を用いて窓ガラスのガラスの表面や網戸の網の表面を清掃するにあたっては、次のようにして行う。まず、第一清掃部材１と第二清掃部材２を洗浄液に浸漬するなどして給水体２２に洗浄液を含浸させて保水させる。次に、ガラスや網を挟んで第一清掃部材１と第二清掃部材２を対向させて配置し、ガラスや網を介して第一清掃部材１と第二清掃部材２を磁石３２及びヨーク３３によって磁着させる。この時、第一清掃部材１のワイパー２１と給水体２２とローラー７の接触部２６がガラスや網の一方（屋内側）の表面に当接し、第二清掃部材２のワイパー２１と給水体２２とローラー７の接触部２６がガラスや網の他方（屋外側）の表面に当接する。次に、取手部４を握って第一清掃部材１を操作してガラスや網の一方の表面に沿って移動させる。移動させる方向はワイパー２１と給水体２２が並ぶ方向で横方向（略水平方向）である。そして、この第一清掃部材１の移動により、給水体２２がガラスや網の他方の表面で摺動して洗浄液が供給されると共に洗浄液が供給されたガラスや網の他方の表面でワイパー２１が摺動することになり、給水体２２から供給された洗浄液により浮き上がった汚れがワイパー２１で掻き取られて集められて、ガラスや網の一方の表面が第一清掃部材１で清掃されるのである。
【００２６】
また、第二清掃部材２は第一清掃部材１に磁着されているので、第一清掃部材１に追随してガラスや網の他方の表面に沿って移動することになり、この第二清掃部材２の移動により、給水体２２がガラスや網の一方の表面で摺動して洗浄液が供給されると共に洗浄液が供給されたガラスや網の一方の表面でワイパー２１が摺動することになり、給水体２２から供給された洗浄液により浮き上がった汚れがワイパー２１で掻き取られて集められて、ガラスや網の他方の表面が第二清掃部材２で清掃されるのである。
【００２７】
図１（ｂ）に示すように、給水体２２はその厚み方向（表裏方向であって、ガラスや網の表面に対して垂直な方向）に積層された二つのフェルト８で形成されている。給水体２２の厚み方向の表面側の略半分を構成するフェルト８ａは、清掃時にガラスや網の表面に直接接触するものであって、繊維径が３Ｄレベルの細い繊維で形成されている。また、給水体２２の厚み方向の裏面側の略半分を構成するフェルト８ｂは、第一清掃プレート１１あるいは第二清掃プレート４１に直接固定されるものであって、繊維径が１０Ｄレベルの太い繊維で形成されている。つまり、給水体２２は保水性が大きくて液切り動作で洗浄液が除去されにくい表面側のフェルト８ａと、保水性が小さくて液切り動作で洗浄液が除去されやすい裏面側のフェルト８ｂで形成されている。
【００２８】
このように、給水体２２の表面側におけるフェルト８ａの繊維径を給水体２２の裏面側におけるフェルト８ｂの繊維径よりも小さく形成したので、給水体２２に洗浄液を含浸させた後の液切り動作によって太い繊維で構成される裏面側のフェルト８ｂに保水された洗浄液を除去してフェルト８ｂの保水容量（吸水容量）を確保することができると共に、清掃時にガラスや網の表面に接触することで加圧される表面側のフェルト８ａから保水容量に余裕のある裏面側のフェルト８ｂに洗浄液を加圧により移動させることができ、ガラスや網の表面に供給される洗浄液が少なくなって液垂れを少なくすることができるものである。しかも、表面側のフェルト８ａは細い繊維で構成されているために、小さいサイズであっても必要量の洗浄液を十分に保水することができ、給水体２２の小型化を図ることができるものである。
【００２９】
図２に他の実施の形態の給水体２２を示す。この給水体２２はその厚み方向に積層された複数（六つ）のフェルト８で多層に形成されている。給水体２２の厚み方向の最も表面側を構成するフェルト８ａは、清掃時にガラスや網の表面に直接接触するものであって、繊維径が他のフェルト８に比べて最も小さい３Ｄレベルの細い繊維で形成されている。また、給水体２２の厚み方向の最も裏面側を構成するフェルト８ｂは、第一清掃プレート１１あるいは第二清掃プレート４１に直接固定されるものであって、繊維径が他のフェルト８に比べて最も大きい１０Ｄレベルの太い繊維で形成されている。フェルト８ａとフェルト８ｂの間には表面側から順に異なる繊維径の繊維で構成される複数種のフェルト８ｃ、８ｄ、８ｅ、８ｆが積層されている。隣接するフェルト８の繊維径の差は１Ｄレベルあまりであって、フェルト８ａ、８ｃ、８ｄ、８ｅ、８ｆ、８ｂの順で繊維径が大きくなるように形成されている。従って、給水体２２の表面側よりも裏面側の方が繊維径が大きくなるように、つまり、給水体２２の裏面側よりも表面側の方が繊維径が小さくなるように、複数のフェルト８ａ〜８ｆの層で給水体２２が形成されている。
【００３０】
この実施の形態では図１の給水体２２と同様の効果を奏し、さらに、繊維径の異なる複数のフェルト８で給水体２２を形成したので、図１のものに比べて、給水体２２の保水量を微妙に調整することができ、清掃性を損なわない範囲において、液垂れ量を微妙に調整することができるものである。尚、給水体２２は六層のフェルト８で形成される場合だけでなく、何層のフェルト８で形成してもよく、より多くの層で形成することによって給水体２２の保水量をさらに微妙に調整することができる。
【００３１】
図３に他の実施の形態の給水体２２を示す。この給水体２２はその厚み方向に繊維径が徐々に変化するフェルト８で形成されている。給水体２２の厚み方向の最も表面側における繊維径は３Ｄレベルであり、また、給水体２２の厚み方向の最も裏面側における繊維径は１０Ｄレベルであり、給水体２２の表面側から裏面側に向かって繊維径が徐々に大きくなるように、つまり、給水体２２の裏面側から表面側に向かって繊維径が徐々に小さくなるように、繊維径の異なる複数の繊維を混合して給水体２２が形成されている。
【００３２】
この実施の形態では図１、２の給水体２２と同様の効果を奏し、さらに、給水体２２の表面側から裏面側に向かって繊維径が徐々に大きくなるように、つまり、給水体２２の裏面側から表面側に向かって繊維径が徐々に小さくなるように、繊維径を変化させたので、図１、２のものに比べて、給水体２２の保水量をさらに微妙に調整することができ、清掃性を損なわない範囲において、液垂れ量をさらに微妙に調整することができるものである。
【００３３】
【発明の効果】
上記のように本発明の請求項１の発明は、ガラスや網の一方の表面に沿って移動するように操作される第一清掃部材と、上記のガラスや網を介して第一清掃部材と磁着すると共に第一清掃部材に追随して上記のガラスや網の他方の表面に沿って移動する第二清掃部材とで構成され、洗浄液を保水する保水機能とこの保水した洗浄液をガラスや網の表面に供給する給水機能を有する給水体を第一清掃部材と第二清掃部材にそれぞれ設け、第一清掃部材と第二清掃部材の移動によって洗浄液が供給されたガラスや網の表面で摺動して洗浄液を掻き集める集水機能を有するワイパーを第一清掃部材と第二清掃部材にそれぞれ設けた清掃装置において、給水体をフェルトで形成し、給水体の表面側におけるフェルトの繊維径を給水体の裏面側におけるフェルトの繊維径よりも小さく形成するので、給水体に洗浄液を含浸させた後の液切り動作によって太い繊維で構成される裏面側のフェルトに保水された洗浄液を除去して裏面側のフェルトの保水容量を確保することができると共に、清掃時にガラスや網の表面に接触することで加圧される表面側のフェルトから保水容量に余裕のある裏面側のフェルトに洗浄液を加圧により移動させることができ、ガラスや網の表面に供給される洗浄液が少なくなって液垂れを少なくすることができるものであり、清掃が行いやすくなるものである。
【００３４】
また本発明の請求項２の発明は、繊維径の異なる複数のフェルトで給水体を形成するので、給水体の保水量を微妙に調整することができ、清掃性を損なわない範囲において、液垂れ量を微妙に調整することができるものである。
【００３５】
また本発明の請求項３の発明は、繊維径が徐々に変化するフェルトで給水体を形成するので、給水体の保水量をさらに微妙に調整することができ、清掃性を損なわない範囲において、液垂れ量をさらに微妙に調整することができるものである。
【図面の簡単な説明】
【図１】本発明の実施の形態の一例を示し、（ａ）は第二清掃部材の断面図、（ｂ）は給水体の断面図である。
【図２】同上の他の実施の形態を示す給水体の断面図である。
【図３】同上のさらに他の実施の形態を示す給水体の断面図である。
【図４】同上の第一清掃部材を示し、（ａ）は背面図、（ｂ）は側面図、（ｃ）は正面図である。
【図５】同上の第一清掃部材を示し、（ａ）は図４（ａ）におけるＡ−Ａ断面図、（ｂ）は図４（ａ）におけるＢ−Ｂ断面図、（ｃ）は図４（ａ）におけるＣ−Ｃ断面図である。
【図６】同上の第二清掃部材を示し、（ａ）は正面図、（ｂ）は側面図である。
【図７】同上の第二清掃部材を示し、（ａ）は図６（ａ）におけるＡ−Ａ断面図、（ｂ）は図６（ａ）におけるＢ−Ｂ断面図、（ｃ）は図６（ａ）におけるＣ−Ｃ断面図である。
【図８】従来例を示す斜視図である。
【符号の説明】
１  第一清掃部材
２  第二清掃部材
８  フェルト
２１  ワイパー
２２  給水体
【図１】
0003849352.tif 000002
【図２】
0003849352.tif 000003
【図３】
0003849352.tif 000004
【図４】
0003849352.tif 000005
【図５】
0003849352.tif 000006
【図６】
0003849352.tif 000007
【図７】
0003849352.tif 000008
【図８】
0003849352.tif 000009